【手続補正書】
【提出日】平成29年3月23日(2017.3.23)
【手続補正１】
【補正対象書類名】明細書
【補正対象項目名】０１３７
【補正方法】変更
【補正の内容】
【０１３７】
項目３０は、システムが、ディスプレイ、バックライト、照明装置、タスクライト、又は多目的のライティングモジュールを備える、項目１８に記載のシステムである。本発明の実施態様の一部を以下の態様［１］−［１０］に記載する。
［態様１］
対向する第１及び第２の構造化表面を有する光学フィルムであって、
前記第１の構造化表面に形成された複数の伸長プリズムと、
前記第２の構造化表面に形成された複数の伸長レンズレットと、を備え、
前記プリズム及びレンズレットが、レンズレットとプリズムとの１対１対応で配置され、
前記プリズムの少なくとも一部は、複合プリズムであり、各複合プリズムは、複合した２つの傾斜面及び鋭角な頂点を有し、各複合プリズムのかかる各複合傾斜面は、先端部、ベース部、及び前記先端部と前記ベース部との間に配置された中間部を有し、該中間部は、前記先端部によって第１のプロファイル形状、及び前記ベース部によって第２のプロファイル形状を形成し、前記第１のプロファイル形状が凹形であり、前記第２のプロファイル形状が凸形であるか、又は前記第１のプロファイル形状が凸形であり、前記第２のプロファイル形状が凹形である、フィルム。
［態様２］
各複合プリズムの各複合傾斜面について、前記先端部、前記ベース部、及び前記中間部の少なくとも１つが平面である、態様１に記載のフィルム。
［態様３］
各複合プリズムの各複合傾斜面について、前記先端部、前記ベース部、及び前記中間部の少なくとも１つが湾曲している、態様１に記載のフィルム。
［態様４］
各複合プリズムの各複合傾斜面について、前記複合傾斜面が連続的に湾曲している、態様３に記載のフィルム。
［態様５］
前記プリズムが、それぞれのプリズム光軸を有し、前記複合プリズムの少なくとも一部が前記プリズム光軸に関して対称的な形状である、態様１に記載のフィルム。
［態様６］
光学システムであって、
発光する主面を有する光ガイドと、
第１の方向に沿って前記光ガイド内に光を入射させるように構成された第１の光源と、
対向する第１及び第２の構造化表面を有する光学フィルムであって、前記第１の構造化表面がその中に形成された複数の伸長プリズムを有し、前記第２の構造化表面がその中に形成された複数の伸長レンズレットを有し、前記プリズム及びレンズレットがレンズレットとプリズムとの１対１対応で配置される、光学フィルムと、を備え、
該光学フィルムが、前記光ガイドに近接して配置され、該光ガイドの前記主面から放射された光が前記第１の構造化表面を通って前記光学フィルムに入射し、該光学フィルムの前記第２の構造化表面から出射するように配向され、前記光学フィルムから出射する前記光が、前記第１の光源が通電されると第１の出力ビームを形成し、
該第１の出力ビームが角度θの関数として第１の強度分布を有し、該第１の強度分布が、角度θＬＥ１における第１の左ビームエッジ、角度θＲＥ１における第１の右ビームエッジ、第１の基準強度Ｉｂａｓｅｌｉｎｅ１、並びに前記第１の左ビームエッジと前記第１の右ビームエッジとの間の第１の最大強度Ｉｍａｘ１及び第１の最小強度Ｉｍｉｎ１によって特徴付けられ、
前記第１の左ビームエッジが変移角ΔθＬＥ１によって特徴付けられる急峻性を有し、前記第１の右ビームエッジは、変移角ΔθＲＥ１によって特徴付けられる急峻性を有し、ΔθＬＥ１及びΔθＲＥ１は、Ｉｍａｘ１とＩｂａｓｅｌｉｎｅ１との間で１０％〜９０％の強度レベルを測定され、
ΔθＬＥ１が、７度以下であり、ΔθＲＥ１が７度以下であり、Ｉｍｉｎ１は、少なくとも、Ｉｂａｓｅｌｉｎｅ１＋２０％＊（Ｉｍａｘ１−Ｉｂａｓｅｌｉｎｅ１）であり、θＲＥ１−θＬＥ１に等しい第１のビーム幅は少なくとも１０度である、システム。
［態様７］
前記光学フィルムにおける前記プリズムの少なくとも一部が、２つの傾斜面が複合である複合プリズムであり、かかる各複合プリズムのかかる各複合傾斜面が先端部、ベース部、及び前記先端部と前記ベース部との間に配置された中間部を有し、前記中間部は前記先端部によって第１のプロファイル形状、及び前記ベース部によって第２のプロファイル形状を形成し、前記第１のプロファイル形状が凹形であり、前記第２のプロファイル形状が凸形であるか、又は前記第１のプロファイル形状が凸形であり、前記第２のプロファイル形状が凹形である、態様６に記載のシステム。
［態様８］
前記第１の方向とは異なる第２の方向に沿って前記光ガイド内に光を入射させるように構成された第２の光源、を更に含み、
前記光学フィルムを出射する前記光が、前記第２の光源が通電されると第２の出力ビームを形成し、
前記第２の出力ビームが角度θの関数として第２の強度分布を有し、該第２の強度分布は、角度θＬＥ２における第２の左ビームエッジ、角度θＲＥ２における第２の右ビームエッジ、第２の基準強度Ｉｂａｓｅｌｉｎｅ２、並びに前記第２の左ビームエッジと前記第２の右ビームエッジとの間の第２の最大強度Ｉｍａｘ２及び第２の最小強度Ｉｍｉｎ２によって特徴付けられ、
前記第２の左ビームエッジは、変移角ΔθＬＥ２によって特徴付けられる急峻性を有し、前記第２の右ビームエッジは、変移角ΔθＲＥ２によって特徴付けられる急峻性を有し、ΔθＬＥ２及びΔθＲＥ２は、Ｉｍａｘ２とＩｂａｓｅｌｉｎｅ２との間で１０％〜９０％の強度レベルを測定され、
ΔθＬＥ２が、７度以下であり、ΔθＲＥ２が７度以下であり、Ｉｍｉｎ２は、少なくとも、Ｉｂａｓｅｌｉｎｅ２＋２０％＊（Ｉｍａｘ２−Ｉｂａｓｅｌｉｎｅ２）であり、θＲＥ２−θＬＥ２に等しい第２のビーム幅は少なくとも１０度である、態様６に記載のシステム。
［態様９］
θＬＥ２がθＬＥ１〜θＲＥ１の範囲内であり、それにより前記第１及び第２の出力ビームが重なり合う、態様８に記載のシステム。
［態様１０］
前記第１及び第２の出力ビームが互いに離間して、最も近いビームエッジと少なくとも３度離間する、態様８に記載のシステム。
【手続補正２】
【補正対象書類名】特許請求の範囲
【補正対象項目名】全文
【補正方法】変更
【補正の内容】
【特許請求の範囲】
【請求項１】
対向する第１及び第２の構造化表面を有する光学フィルムであって、
前記第１の構造化表面に形成された複数の伸長プリズムと、
前記第２の構造化表面に形成された複数の伸長レンズレットと、を備え、
前記プリズム及びレンズレットが、レンズレットとプリズムとの１対１対応で配置され、
前記プリズムの少なくとも一部は、複合プリズムであり、各複合プリズムは、複合した２つの傾斜面及び鋭角な頂点を有し、各複合プリズムのかかる各複合傾斜面は、先端部、ベース部、及び前記先端部と前記ベース部との間に配置された中間部を有し、該中間部は、前記先端部によって第１のプロファイル形状、及び前記ベース部によって第２のプロファイル形状を形成し、前記第１のプロファイル形状が凹形であり、前記第２のプロファイル形状が凸形であるか、又は前記第１のプロファイル形状が凸形であり、前記第２のプロファイル形状が凹形である、フィルム。
【請求項２】
各複合プリズムの各複合傾斜面について、前記先端部、前記ベース部、及び前記中間部の少なくとも１つが平面である、請求項１に記載のフィルム。
【請求項３】
各複合プリズムの各複合傾斜面について、前記先端部、前記ベース部、及び前記中間部の少なくとも１つが湾曲している、請求項１に記載のフィルム。
【請求項４】
各複合プリズムの各複合傾斜面について、前記複合傾斜面が連続的に湾曲している、請求項３に記載のフィルム。
【請求項５】
前記プリズムが、それぞれのプリズム光軸を有し、前記複合プリズムの少なくとも一部が前記プリズム光軸に関して対称的な形状である、請求項１に記載のフィルム。